(57)【要約】【課題】複数の単位領域毎に輝度の制御ができる照明装置において、離散的に配置した光源による輝度むらの抑制を少ない部品点数で実現すること。【解決手段】第一の溝（１８）および第二の溝（１９）を備えた導光板（１０）と、前記第一の溝に収納された第一の光源群（２１）と、前記第二の溝に収納された第二の光源群（２２）と、を有し、前記導光板（１０）は第一の光混合領域（１３）、第一の光出射領域（１４）および第二の光混合領域（１５）を備え、前記第一の溝から前記第二の溝に向かって、前記第一の光混合領域、前記第一の光出射領域，前記第二の光混合領域の順に存在し、前記第一の光混合領域では、前記導光板の厚みは前記第一の光源群から遠ざかるにつれて大きくなり、前記第二の光混合領域では、前記導光板の厚みは前記第二の光源群から遠ざかるにつれて大きくなり、前記第一の出射領域では、前記導光板は平板状である照明装置。【選択図】  図１
2012018855.tif 000002
【特許請求の範囲】
【請求項１】
第一の溝および第二の溝を備えた導光板と、
前記第一の溝に収納された第一の光源群と、
前記第二の溝に収納された第二の光源群と、を有し、
前記導光板は第一の光混合領域，第一の光出射領域および第二の光混合領域を備え、
前記第一の溝から前記第二の溝に向かって、前記第一の光混合領域，前記第一の光出射領域，前記第二の光混合領域の順に存在し、
前記第一の光混合領域では、前記導光板の厚みは前記第一の光源群から遠ざかるにつれて大きくなり、
前記第二の光混合領域では、前記導光板の厚みは前記第二の光源群から遠ざかるにつれて大きくなり、
前記第一の出射領域では、前記導光板は平板状である照明装置。
【請求項２】
請求項１において、
前記導光板の端部に反射体が設けられ、
前記導光板は第三の光混合領域および第二の光出射領域およびを備え、
前記導光板の端部から前記第一の溝に向かって、前記第二の光出射領域，前記第三の光混合領域の順に存在し、
前記第三の光混合領域では、前記導光板の厚みは前記第一の光源群から遠ざかるにつれて大きくなり、
前記第二の出射領域では、前記導光板は平板状である照明装置。
【請求項３】
請求項１において、
前記第一の光混合領域では、前記導光板は前記第一の光源群からの光を導波し、前記第二の光源群からの光を前記導光板の表面側に出射し、
前記第二の光混合領域では、前記導光板は前記第二の光源群からの光を導波し、前記第一の光源群からの光を前記導光板の表面側に出射し、
前記第一の出射領域では、前記導光板は前記第一の光源群および前記第二の光源群からの光を前記導光板の表面側に出射する照明装置。
【請求項４】
請求項１において、
前記第一の光源群から前記導光板の表面側に出射される単位面積あたりの光の量をＬ０１、前記第二の光源群から前記導光板の表面側に出射される単位面積あたりの光の量をＬ０２とすると、
前記第一の光混合領域ではＬ０１＜Ｌ０２の関係を満たす照明装置。
【請求項５】
請求項１において、
前記第一の光混合領域および前記第二の光混合領域では、前記導光板の断面はテーパ状であり、
前記第一の溝および前記第二の溝から等距離となる中心線に対し、前記第一の光混合領域における前記導光板の断面および前記第二の光混合領域における前記導光板の断面は対称となり、
前記第一の光混合領域および前記第二の光混合領域における前記導光板の断面および前記第一の光出射領域における前記導光板の断面は連続的に接続されていることを特徴とする照明装置。
【請求項６】
請求項１において、
前記第一の出射領域では前記第一の溝から前記第二の溝へ進む光と前記第二の溝から前記第一の溝へ進む光の一部は導波し、他の光は前記導光板の表面側に出射されることを特徴とする照明装置。
【請求項７】
請求項１において、
前記第一の溝は、第一の面，第二の面，第三の面および第四の面を含み、
前記第一の面および前記第四の面は、前記導光板における平板状の面に対して垂直であり、
前記第二の面および前記第三の面は、前記導光板における平板状の面に対して傾斜していることを特徴とする照明装置。
【請求項８】
請求項１において、
前記第一の溝は、第一の面，第二の面，第三の面および第四の面で構成され、
前記第一の面および前記第四の面の距離は、前記導光板の表面に向かって前記第一の溝の間隔が広くなり、
前記第一の面および前記第四の面の距離は、前記導光板の表面に向かって前記第一の溝の間隔が小さくなることを特徴とする照明装置。
【請求項９】
請求項１において、
前記第一の溝に第三の光源群およびヒートシンクが収納され、
前記第一の光源群は前記ヒートシンクの一方の面上に配置され、
前記第三の光源群は前記ヒートシンクの他方の面上に配置されることを特徴とする照明装置。
【請求項１０】
請求項９において、
前記第一の光源群を構成する複数の光源と前記第三の光源群を構成する複数の光源は互い違いになるように配置されることを特徴とする照明装置。
【請求項１１】
請求項１において、
前記第一の光源群からの出射光量が、前記導光板における平板状の面に対して平行な方向において最大となることを特徴とする照明装置。
【請求項１２】
請求項１において、
前記第一の光源群からの出射光量が、前記導光板における平板状の面に対して平行な方向から前記導光板の裏面側に傾いた方向において最大となることを特徴とする照明装置。
【請求項１３】
請求項１において、
前記導光板の表面側に光路変換部材を備え、
前記光路変換部材は前記導光板の表面から出射された光の方向を変更することを特徴とする照明装置。
【請求項１４】
請求項１３において、
前記光路変換部材は透明なシートであり、
前記光路変換部材の表面に複数のプリズム面を有し、
前記プリズム面の稜線が前記第一の光源群を構成する複数の光源の配列方向と平行であることを特徴とする照明装置。
【請求項１５】
請求項１において、
前記導光板の第１の光混合領域及び第２の光混合領域において、前記導光板の裏面の表面粗さＲａが０ｎｍより大きく３８ｎｍ以下であることを特徴とする照明装置。
【請求項１６】
請求項１において、
前記第一の光源群を構成する複数の光源の配列ピッチをｐ、
前記複数の光源から放射され前記導光板に入射する際の入射光の半値角をζ１、
前記入射光が前記導光板に入射して前記導光板内を進む角度をζ２、
前記導光板および前記複数の光源の間の屈折率をｎ１、
前記導光板の屈折率をｎ２としたとき、
前記第一の光混合領域の導光板の長さＬｍが下記式（１）を満たすことを特徴とする照明装置。
Ｌｍ≧ｐ／２tanζ２
≧ｐ／２tan（sin−１（ｎ１／ｎ２・sinζ１））                …式（１）
【請求項１７】
請求項１において、
前記第１の光源群から出射される光において、前記第一の光混合領域から前記導光板の表面側に出射する光よりも前記第一の光出射領域から前記導光板の表面側に出射する光の方が多く、
前記第２の光源群から出射される光において、前記第二の光混合領域から前記導光板の表面側に出射する光よりも前記第一の光出射領域から前記導光板の表面側に出射する光の方が多い照明装置。
【請求項１８】
光の透過光量を調節することで画像を表示する表示パネルと、
前記表示パネルの背面から前記表示パネルを照明する請求項１の照明装置と、を有し
前記第一の光源群を構成する複数の光源の配列方向を前記表示パネルの表示面の長手方向と一致させたことを特徴とする表示装置。
【発明の詳細な説明】
【技術分野】
【０００１】
本発明は照明装置及びこれを備えた画像表示装置に関する。
【背景技術】
【０００２】
表示装置は情報を視覚的に人間に伝えるメディアであり、高度な情報社会となった現代では、人間，社会にとって重要な存在となっている。表示装置は大別してＣＲＴ（Cathode Ray Tube），ＰＤＰ（Plasma Display Panel）等の発光型の表示装置と、液晶表示装置，ＥＣＤ（Electrochromic Display），ＥＰＩＤ（Electrophoretic Image Display）等の非発光型の表示装置とに分類できる。
【０００３】
非発光型の表示装置は光の透過（或いは反射）光量を調節することで画像を表示するものであり、この中で特に液晶表示装置は近年性能が著しく向上し、携帯電話からパーソナルコンピューターさらには大画面テレビ等の表示装置として採用されることが多くなった。
【０００４】
液晶表示装置は一般に光の透過光量、あるいは反射光量を制御することで画像を形成する液晶表示パネルと、液晶表示パネルの背面に配置し、液晶表示パネルに光を照射する照明装置から構成される。
【０００５】
照明装置には、エッジライト方式（導光体方式），直下方式（反射板方式），面状光源方式があり、特に薄型の照明装置を実現する場合にはエッジライト方式が用いられる。エッジライト方式は導光体の端部に光源を配置するもので、従来、光源としては主として冷陰極管が用いられてきた。しかし、近年では携帯電話などの小型の液晶表示装置では照明装置の光源として発光ダイオード（ＬＥＤ）が用いられている。さらに冷陰極管では必要とされるインバーターが不要なことや、環境負荷低減の観点から水銀レスな光源であるＬＥＤは大型の液晶表示装置でも採用が進んでいる。
【０００６】
ところで、ＰＤＰのような自発光型の表示装置では、画像を表示する際、画像信号に応じて特定の画素を必要な光量で選択的に発光させている。このため、黒表示や、暗い画像を表示する場合には画素の発光を停止したり、発光量を小さくできるので消費電力は小さくなる。また、黒表示の場合、画素は発光しないので暗室でのコントラスト比は数万以上と高くできる。
【０００７】
これに対し、一般に液晶表示装置のような非発光型の表示装置では、画像信号に関わらずバックライトは常に一定の明るさで発光させている。したがって、バックライトの明るさは通常、画面が最大輝度となる条件に合わせており、黒表示や暗い画像を表示する場合でも同じ明るさで発光しているため、表示に寄与しない不要な電力が消費されることになる。さらに、黒表示の際には、バックライトの光の一部が漏れて、十分に暗くならないので暗室でのコントラスト比はＰＤＰなどの自発光型の表示装置に比べると小さくなる。
【０００８】
なお、従来からバックライトの明るさ（以下、輝度とも表現する）を制御することで消費電力を低減したり、画質を向上する液晶表示装置が提案されている。
【０００９】
例えば、特許文献１には、バックライトを複数の分割した領域単位で駆動し、画像信号に応じてバックライトの輝度を制御することで、消費電力の削減と画像品質の向上を実現することが開示されている。
【００１０】
バックライトの輝度を複数の単位領域毎で制御する技術は種々提案されている。例えば、特許文献２には向かい合う端部の厚さが異なる複数の導光板と、導光板の厚さが異なる一対の端部のうち、厚さが大きい方の端部に近接配置した複数の光源とから構成される照明装置（バックライト）が開示されている。また、特許文献３には、並列に配置される複数の線状の光源と、これら光源を収納する複数の溝を有する導光板を備え、この導光板の断面形状は光源を収納する部分から遠ざかるにつれてその厚さが薄くなる曲線を形成する傾斜面を含んで構成される照明装置が開示されている。なお、本発明に関連する他の先行技術文献としては、下記の特許文献４が存在する。
【先行技術文献】
【特許文献】
【００１１】
【特許文献１】特開２００５−２５８４０３号公報
【特許文献２】特許第４２６２３６８号公報
【特許文献３】特許第４０２３０７９号公報
【特許文献４】特公平１−３７８０１号公報
【発明の概要】
【発明が解決しようとする課題】
【００１２】
光源と導光板が１対１に対応しており、光源が点灯した導光板のみから光を出射させる照明装置では、単位領域毎の輝度の調整を実現できる。しかし、この方式は複数の導光板を必要とするため部品点数が多くなること、及び、複数の導光板を整列配置し、さらに各導光板に光源を近接配置するため組立の負荷が大きく、製造コストが高くなるという問題がある。並列に配置される複数の線状の光源と、これら光源を収納する複数の溝を有する導光板を備える照明装置は導光板が一つであり部品点数が少なく、組立は容易になりコストの優位性があるが、今後、光源の発光効率が向上し、光源の数が少なくなった場合に、光源を離散的に配置したことを原因とする輝度むらの抑制が困難になるという課題がある。
【００１３】
本発明はこのような従来技術の課題を解決するためになされたものであり、その目的は複数の単位領域毎に輝度の制御ができる照明装置において、離散的に配置した光源による輝度むらの抑制を少ない部品点数で実現することにある。本発明のその他の課題と新規な特徴については本明細書の記述及び添付図面を参照して明らかにする。
【課題を解決するための手段】
【００１４】
本発明は上記目的を達成するため、以下の手段を採用する。
（１）第一の溝および第二の溝を備えた導光板と、前記第一の溝に収納された第一の光源群と、前記第二の溝に収納された第二の光源群と、を有し、前記導光板は第一の光混合領域，第一の光出射領域および第二の光混合領域を備え、前記第一の溝から前記第二の溝に向かって、前記第一の光混合領域，前記第一の光出射領域，前記第二の光混合領域の順に存在し、前記第一の光混合領域では、前記導光板の厚みは前記第一の光源群から遠ざかるにつれて大きくなり、前記第二の光混合領域では、前記導光板の厚みは前記第二の光源群から遠ざかるにつれて大きくなり、前記第一の出射領域では、前記導光板は平板状である照明装置。
（２）上記（１）において、前記導光板の端部に反射体が設けられ、前記導光板は第三の光混合領域および第二の光出射領域およびを備え、前記導光板の端部から前記第一の溝に向かって、前記第二の光出射領域，前記第三の光混合領域の順に存在し、前記第三の光混合領域では、前記導光板の厚みは前記第一の光源群から遠ざかるにつれて大きくなり、前記第二の出射領域では、前記導光板は平板状である照明装置。
（３）上記（１）において、前記第一の光混合領域では、前記導光板は前記第一の光源群からの光を導波し、前記第二の光源群からの光を前記導光板の表面側に出射し、前記第二の光混合領域では、前記導光板は前記第二の光源群からの光を導波し、前記第一の光源群からの光を前記導光板の表面側に出射し、前記第一の出射領域では、前記導光板は前記第一の光源群および前記第二の光源群からの光を前記導光板の表面側に出射する照明装置。
（４）上記（１）において、前記第一の光源群から前記導光板の表面側に出射される単位面積あたりの光の量をＬ０１、前記第二の光源群から前記導光板の表面側に出射される単位面積あたりの光の量をＬ０２とすると、前記第一の光混合領域ではＬ０１＜Ｌ０２の関係を満たす照明装置。
（５）上記（１）において、前記第一の光混合領域および前記第二の光混合領域では、前記導光板の断面はテーパ状であり、前記第一の溝および前記第二の溝から等距離となる中心線に対し、前記第一の光混合領域における前記導光板の断面および前記第二の光混合領域における前記導光板の断面は対称となり、前記第一の光混合領域および前記第二の光混合領域における前記導光板の断面および前記第一の光出射領域における前記導光板の断面は連続的に接続されていることを特徴とする照明装置。
（６）上記（１）において、前記第一の出射領域では前記第一の溝から前記第二の溝へ進む光と前記第二の溝から前記第一の溝へ進む光の一部は導波し、他の光は前記導光板の表面側に出射されることを特徴とする照明装置。
（７）上記（１）において、前記第一の溝は、第一の面，第二の面，第三の面および第四の面を含み、前記第一の面および前記第四の面は、前記導光板における平板状の面に対して垂直であり、前記第二の面および前記第三の面は、前記導光板における平板状の面に対して傾斜していることを特徴とする照明装置。
（８）上記（１）において、前記第一の溝は、第一の面，第二の面，第三の面および第四の面で構成され、前記第一の面および前記第四の面の距離は、前記導光板の表面に向かって前記第一の溝の間隔が広くなり、前記第一の面および前記第四の面の距離は、前記導光板の表面に向かって前記第一の溝の間隔が小さくなることを特徴とする照明装置。
（９）上記（１）において、前記第一の溝に第三の光源群およびヒートシンクが収納され、前記第一の光源群は前記ヒートシンクの一方の面上に配置され、前記第三の光源群は前記ヒートシンクの他方の面上に配置されることを特徴とする照明装置。
（１０）上記（９）において、前記第一の光源群を構成する複数の光源と前記第三の光源群を構成する複数の光源は互い違いになるように配置されることを特徴とする照明装置。
（１１）上記（１）において、前記第一の光源群からの出射光量が、前記導光板における平板状の面に対して平行な方向において最大となることを特徴とする照明装置。
（１２）上記（１）において、前記第一の光源群からの出射光量が、前記導光板における平板状の面に対して平行な方向から前記導光板の裏面側に傾いた方向において最大となることを特徴とする照明装置。
（１３）上記（１）において、前記導光板の表面側に光路変換部材を備え、前記光路変換部材は前記導光板の表面から出射された光の方向を変更することを特徴とする照明装置。
（１４）上記（１３）において、前記光路変換部材は透明なシートであり、前記光路変換部材の表面に複数のプリズム面を有し、前記プリズム面の稜線が前記第一の光源群を構成する複数の光源の配列方向と平行であることを特徴とする照明装置。
（１５）上記（１）において、前記導光板の第１の光混合領域及び第２の光混合領域において、前記導光板の裏面の表面粗さＲａが０ｎｍより大きく３８ｎｍ以下であることを特徴とする照明装置。
（１６）上記（１）において、前記第一の光源群を構成する複数の光源の配列ピッチをｐ、前記複数の光源から放射され前記導光板に入射する際の入射光の半値角をζ１、前記入射光が前記導光板に入射して前記導光板内を進む角度をζ２、前記導光板および前記複数の光源の間の屈折率をｎ１、前記導光板の屈折率をｎ２としたとき、前記第一の光混合領域の導光板の長さＬｍが下記式（１）を満たすことを特徴とする照明装置。
Ｌｍ≧ｐ／２tanζ２≧ｐ／２tan（sin−１（ｎ１／ｎ２・sinζ１））  …式（１）
（１７）上記（１）において、前記第一の光混合領域から前記導光板の表面側に出射する光よりも前記第一の光出射領域から前記導光板の表面側に出射する光の方が多く、前記第二の光混合領域から前記導光板の表面側に出射する光よりも前記第一の光出射領域から前記導光板の表面側に出射する光の方が多い照明装置。
（１８）光の透過光量を調節することで画像を表示する表示パネルと、前記表示パネルの背面から前記表示パネルを照明する上記（１）の照明装置と、を有し前記第一の光源群を構成する複数の光源の配列方向を前記表示パネルの表示面の長手方向と一致させたことを特徴とする表示装置。
【発明の効果】
【００１５】
本発明によれば、複数の単位領域毎に輝度の制御ができる照明装置であって、離散的に配置した複数の光源による輝度むらが抑制され、なおかつ、部品点数が少ない照明装置を実現できる。また、本発明の照明装置を用いた表示装置は、画面の均一性が高く、狭額縁かつ薄型の表示装置を実現することができる。上記した以外の課題，構成及び効果は以下の実施形態の説明により明らかにされる。
【図面の簡単な説明】
【００１６】
【図１】本発明の一実施例本発明の照明装置の概略構成を示す一部断面図である。
【図２】本発明の一実施例の照明装置に係る光源群の一例を示す概略斜視図である。
【図３】本発明の一実施例の照明装置に係る光源群の一例を示す概略斜視図である。
【図４】本発明の一実施例の照明装置に係る導光板の概略斜視図である。
【図５】本発明の一実施例の照明装置に係る導光体の概略断面図である。
【図６】本発明の一実施例の照明装置に係る導光体の概略断面図である。
【図７】本発明の一実施例の照明装置の一部構造を示す模式図である。
【図８】本発明の一実施例の照明装置の導光板と光路変換手段の概略斜視図である。
【図９】本発明の一実施例の照明装置の一部断面を示す概略構成図及び照明装置の位置に対する輝度の値を示す模式図である。
【図１０】導光板に光出射領域がない場合の照明装置の一部断面を示す概略構成図及び照明装置の位置に対する輝度の値を示す模式図である。
【図１１】本発明の一実施例の照明装置の導光板の溝周辺の概略構成を示す一部断面図である。
【図１２】本発明の一実施例の照明装置の概略構成を示す正面図である。
【図１３】本発明の一実施例の照明装置の導光板の溝周辺の概略構成を示す一部断面図である。
【図１４】本発明の一実施例の照明装置の導光板の溝周辺の概略構成を示す一部断面図である。
【図１５】本発明の一実施例の照明装置の導光板の溝周辺の概略構成を示す一部断面図である。
【図１６】本発明の一実施例の照明装置に係る導光板の概略斜視図である。
【図１７】本発明の一実施例の表示装置の一部断面を示す概略断面図である。
【図１８】本発明の一実施例の表示装置の信号処理手段を含む概略構成図である。
【発明を実施するための形態】
【００１７】
以下、本発明の実施形態について、詳細に説明するが、種々の変更は可能であり、また、下記実施形態同士の組み合わせは本発明に包含されるものである。また、実施例を説明するための全図において、同一の機能を有するものは、同一の符号を付け、その繰り返しの説明は省略する。
【００１８】
（照明装置の実施例１）
図１は本発明の照明装置の一例を示し、主要部の概略構成を示す一部断面図である。尚、図は説明を容易にするため、縮尺に関しては必ずしも正確には表現していない。
【００１９】
本照明装置１は光の透過光量を調節することで画像を表示する図示しない表示パネルの背面に配置し、裏面から表示パネルを照明する照明装置に好適である。表示パネルとしては入射する光の透過光量を調節することで画像を表示する表示パネルを用いることができ、特に長寿命でマトリクス表示が可能な液晶表示パネルを用いることができる。
【００２０】
照明装置１は、導光板１０と、導光板１０に形成された溝に配置する複数の光源から構成される光源群２０〜２３と、導光板１０の裏面に設けた光反射手段６０と、導光板１０の両端部に設ける光反射手段７０，７１と、導光板１０の表面側にその全面を覆うように配置した光路変換手段３０とから構成される。
【００２１】
光路変換手段３０はそれ自体に剛性を備えても良いが、導光板１０と光路変換手段３０との間に剛性を有し、光路変換手段３０を保持できる透明板、もしくは拡散板４０を備えても良い。また、光路変換手段３０の上部には必要に応じて拡散シート５０を備えても良い。
【００２２】
尚、照明装置１を構成するにはフレームなどの機械的構造物や光源を発光させるために必要な電源や配線などの電気的構造物が必要であるが本発明の特徴ではない部分については一般的な手段を用いればよいので詳細な説明は省略する。
【００２３】
光源群２０〜２３はこれを構成する複数の光源として小型，高発光効率，低発熱といった条件を満たすものを用いると良く、このような光源としては発光ダイオード（ＬＥＤ；Light Emitting Diodes）が好適である。光源としては白色の光を発する発光ダイオードを用いることができる。白色の発光を実現する発光ダイオードとしては、青色の発光と、この青色の光で励起され黄色の光を発する蛍光体を組み合わせることで白色発光を実現する発光ダイオード、あるいは、青色または紫外線の発光と、この発光する光で励起され発光する蛍光体と組み合わせることで、青色，緑色及び赤色に発光ピーク波長を有する白色発光を実現する発光ダイオードを用いることができる。
【００２４】
あるいは、本照明装置を備える表示装置が加法混色によりカラー表示を実現する場合には発光部として、赤色，青色，緑色の三原色を発光する発光ダイオードを用いると良い。例えば表示パネルとしてカラー液晶パネルを用いる場合、液晶パネルのカラーフィルタの透過スペクトルに対応した発光ピーク波長を有する光源を用いることで、色再現範囲が広い表示装置が実現できる。あるいは、カラーフィールドシーケンシャルによりカラー表示を実現する場合は、液晶パネルに光損失の原因であるカラーフィルタが必要ないため、赤色，青色，緑色の三原色を発光する発光ダイオードを用いることで光の損失が少なく色再現範囲が広い表示装置が実現できる。
【００２５】
図２は光源群の一例を示す概略斜視図である。本発明に係る光源群は細長い板状のヒートシンク２５の両面にそれぞれ複数の光源２０ａ，２０ｂ，…，光源２１ａ，２１ｂ，２１ｃ，…を線状、または、帯状に整列配置することで実現する。図２において、光源群２０はヒートシンク２５の一方の面上に配置され、光源群２１はヒートシンク２５の他方の面上に配置される。尚、複数の光源を帯状に配置すると照明装置の厚さが厚くなるため、光源は線状に配置することが望ましい。また、光源２１ａ自体は、光出射部２１ａ−Ｅの形状として光源の配列方向の幅がそれと直交する方向の幅よりも広いものを用いることが輝度むらの抑制と、照明装置の薄型化のために望ましい。
【００２６】
各光源は図示しない配線を通じて直流電源や点灯，消灯を制御する制御手段とに接続される。また、配線や光源は図示しない絶縁層を介してヒートシンク２５上に形成される。絶縁層としては高分子材料からなる絶縁材料を用いることができ、例えばエポキシ系樹脂やポリイミド系樹脂やアクリル形樹脂を用いることができる。尚、光源から放射する光を導光板１０へ効率よく反射するため配線や発光部が形成される絶縁層の表面には、反射率の高い銀やアルミなどの金属膜、或いは透明樹脂中に屈折率の異なる微粒子または気泡を混在させることで白色反射を実現する光反射膜、あるいは誘電体多層膜による光反射面を設けても良い。
【００２７】
また、光源は、発光部が透明樹脂によって覆われており、透明樹脂は発光部から出射する光を効率よく導光板１０へ向かわせるよう凸レンズ形状、あるいは砲弾状を成しても良い。透明樹脂としては可視光に対して透明な樹脂を用いればよく、エポキシ系，シリコン系，アクリル系などの樹脂を用いることができる。例えばシリコン系の透明樹脂は耐光性，耐熱性にすぐれるため光量が大きい場合に適している。一方、エポキシ系の透明樹脂は耐光性や耐熱性ではシリコン系に劣るがコストが低いという利点がある。
【００２８】
ヒートシンク２５としてはアルミや銅といった熱伝導率の高い金属や、カーボンやセラミックスなどからなる熱伝導率が比較的高い材料を用いれば望ましい。これは一般に発光ダイオードの場合には温度が上昇すると発光効率が低下するためである。
【００２９】
尚、本発明の照明装置では、図２に例示するように導光板１０の同じ溝の内部に配置する光源群２０，２１を構成する光源は、隣接する光源群を構成する光源と互い違いに成るように配列しても良い。この場合、発光ダイオード（光源）で生じる熱が効率よく分散，放熱されて温度上昇が抑制されるため、発光ダイオードの温度上昇による発光効率の低下が抑制されるという効果が得られる。また、光源群２０，２１は図３に例示するように構成しても良い。つまり、ヒートシンク２５の上に異なる光源群２０及び２１を構成する光源２０ａ，２０ｂ，２０ｃ，…と、光源２１ａ，２１ｂ，２１ｃ，…を互い違いに一列に並べても良い。この場合、より小さなスペースに隣接する光源群を構成することができるという効果がある。
【００３０】
図４は本発明の照明装置に係る導光板の概略斜視図である。導光板１０は可視光に対して透明な板状部材から構成され、光源群を収納する溝と少なくとも２つの機能が異なる領域を備える。具体的には、溝に隣接する位置に光混合領域を設け、さらにその隣に光出射領域を設ける。
【００３１】
以下では２つの溝を備える導光板１０について説明するが、本発明はこれに限定されるものではなく、照射対象の大きさや必要とされる輝度などに合わせて最適な構造を選択すればよい。
【００３２】
導光板１０は光源群２０（第三の光源群）と光源群２１（第一の光源群）を収納する溝１８（第一の溝）と、光源群２２（第二の光源群）と光源群２３（第四の光源群）を収納する溝１９（第二の溝）とを備える。
【００３３】
溝１８に隣接する領域には光混合領域１２（第三の光混合領域），１３（第一の光混合領域），溝１９に隣接する位置に光混合領域１５（第二の光混合領域），１６（第三の光混合領域）を備える。また、光混合領域１２の溝１８とは反対側には光出射領域１１（第二の光出射領域），光混合領域１６の溝１９とは反対側には光出射領域１７（第二の光出射領域）を備える。また、２つの溝間の２つの光混合領域に挟まれた領域に光出射領域１４（第一の光出射領域）を備える。溝１８から溝１９に向かって、前記第一の光混合領域１３，光出射領域１４，光混合領域１５の順に存在する。また、光反射手段７１が設けられた導光板１０の端部から溝１８に向かって、光出射領域１１，光混合領域１２の順に存在する。
【００３４】
ここで、光混合領域とは光源群を構成する複数の光源から出射し、導光板１０に入射する光のうち、隣接する溝の方向から進む光は互いに混じりあい、なおかつ、導光板１０の表面側からはほとんど出射しない状態を実現し、一方、隣接する溝とは逆の方向から進む光は導光板１０の表面から出射するように構成された領域のことである。また、光出射領域はこの領域を導波する光の一部を導光板１０の表面側から出射するように構成された領域のことである。具体的には、光出射領域１４では溝１８から溝１９へ進む光および溝１９から溝１８へ進む光の一部は導波し、他は導光板１０の表面側に出射される。
【００３５】
このため、一例として光源群２０及び２１に関係する領域に着目すると、光混合領域１２と１３はそれぞれ溝１８に収納する光源群２０と２１を構成する複数の光源から出射し、導光板１０に入射する光が互いに混じり合う領域であり、この際、光源群２０からの光は光混合領域１２（光源群２１からの光は光混合領域１３）において導光板１０を導波し、その表面側からはできるだけ出射しないように構成される。また、光混合領域１２と１３は溝１８とは反対側の方向から進む光については導光板１０の表面側から出射するように構成される。
【００３６】
このため、光混合領域１３は溝１９に収納する光源群２２から出射し、導光板１０に入射して導波する光については導光板１０の表面側から出射するように構成される。
【００３７】
また、光混合領域１５は、溝１９から進む光はその表面側からほとんど光が出射することなく導波するが、溝１８の方向から進む光、すなわち、光源群２１から出射し、導光板１０内を導波する光は導光板１０の表面側から出射するように構成される。
【００３８】
また、光出射領域１４は光源群２１及び光源群２２から出射し、導光板１０に入射する光に対し、導光板１０の表面側へ光を出射する領域として構成される。つまり光出射領域１４は両光源群からの光を共に導光板１０の表面側に出射する機能を有する。
【００３９】
このようにして、光混合領域１３に近接する光源群２１から出射される光において、光混合領域１３から導光板１０の表面側に出射する光よりも光出射領域１４から導光板１０の表面側に出射する光の方が多くなる。また、光混合領域１５に近接する光源群２２から出射される光において、光混合領域１５から導光板１０の表面側に出射する光よりも光出射領域１４から導光板１０の表面側に出射する光の方が多くなる。
【００４０】
これらの機能を実現する具体的な構造としては図５及び図６に例示する構造がある。つまり、導光板１０の表面は照射対象物の主平面に略平行な平面とし、導光板１０の光混合領域１２，１３および光混合領域１５は巨視的にはそれぞれ光源群２０，２１，２２及び２３側が薄く、光源群から遠ざかるにつれて厚みが増すテーパ形状とする。また、光出射領域１１や光出射領域１４は平板状とする。
【００４１】
換言すると、本発明に係る導光板１０は巨視的には溝から遠ざかるにつれてその厚みを増す（光混合領域１２，１３，１５，１６では、導光板１０の厚みは光源群から遠ざかるにつれて大きくなる）テーパ形状の領域とそれにつながる平板状の形状をなす。
【００４２】
尚、導光板１０の裏面側には導光板１０を導波する光を導光板１０の表面側に出射させるための微細な形状が形成される。図５及び図６に例示するとおり、光混合領域１２，１３、及び１５では導光板１０の裏面に導光板１０の表面と平行な微細な面と、それぞれが隣接する導光板１０の溝から遠ざかるにつれて導光板１０が厚くなる方向に角度αで傾斜した微細な面が交互に繰り返す形状を有する。この平行な微細面と傾斜した微細面の大きさや傾斜した微細面の角度αは、均一な光が出射するよう定めればよく、その位置によりその大きさを変化させると良い。微細面の大きさは数μｍから数十μｍ、角度αは１〜４５°が現実的な値である。このような裏面形状とすることで隣接する溝の方向から進む光は互いに混じりあい、なおかつ、導光板１０の表面側からはほとんど出射しない状態を実現できる。一方、隣接する溝とは逆の方向から進む光については導光板１０の表面側から出射する状態を実現できる。
【００４３】
また、光出射領域１１及び１４では導光板１０内を導波する光の進行角度を変え、導光板１０の表面側から出射させるため、導光板１０の裏面に導光板の表面に対して傾斜した多数の微細な凹凸面や段差、あるいは、図で例示する通り、傾きの向きが逆である微細面を交互に繰り返す形状を備える。この微細面の大きさは数μｍから数十μｍ、導光板表面に対する傾き角度βは±１〜４５°が現実的な値である。このような裏面形状とすることで両光源群からの光を共に導光板１０の表面側に出射する機能を実現できる。
【００４４】
次に光混合領域の大きさ（長さ）について説明する。図７は本発明の照明装置の一部平面図である。光源群２１から導光板１０に入射した光は領域Ａ３−Ｂ１で全反射により伝播され領域Ａ２−Ｂ１から出射される。出射される光の均一性を図るため、領域Ａ３−Ｂ１と領域Ａ２−Ｂ１の長さＡ２，Ａ３は等しくした。すなわち、二つの溝１８，１９から等距離となる中心線（領域Ａ３−Ｂ１と領域Ａ２−Ｂ１の境界）に対し、その断面形状が対称な二つのテーパ状の領域を有し、これらテーパ領域は中心線に向かって厚みが増大する構造とした。図７において、光混合領域における導光板の断面および光出射領域における導光板の断面は連続的に接続されている。混合領域は光源群２１を構成する複数の光源から出射し、導光板１０に入射する光が互いに混じりあうための領域である。このため、光混合領域の導光板１０の端面からの長さＬｍを以下の通りとすることが望ましい。
【００４５】
図７に例示するように光源群２０，２１を構成する複数の光源の配列の繰り返しピッチをｐとする。さらに発光部から放射し導光板１０に入射する際の入射光の半値角をζ１、この入射光が導光板１０に入射して導光板１０内を進む角度をζ２、導光板１０と光源の間の屈折率をｎ１、導光板１０の屈折率をｎ２とすると、光混合領域の導光板１０の溝の端面からの長さＬｍは次式で表される条件とすることが望ましい。複数の光源および導光板１０の間を空気とした場合、ｎ１＝１.０となる。
Ｌｍ≧ｐ／２tanζ２
≧ｐ／２tan（sin−１（ｎ１／ｎ２・sinζ１））                …式（１）
【００４６】
これは、隣り合う光源から放射する光の強さが正面方向の半分となる光が、混ざり合うのに最低限必要な長さであり、この長さ以上とすることが望ましい。
【００４７】
尚、図７に例示するように、光源群の長手方向において、導光板１０を光学的に複数の領域に分離するための微細な溝１０ｇを必要に応じて設けても良い。このような微細な溝１０ｇは幅数百μｍ〜３mm程度で、その深さは導光板１０の厚さに応じて適切な値にすれば良い。また、微細な溝１０ｇは導光板１０の裏面側、表面側のいずれか一方、または、両方に必要に応じて設けると良い。
【００４８】
導光板１０の材料としては可視光に対して透明な樹脂を用いれば良く、従来のエッジライト方式の導光板に主に用いられているアクリル樹脂やポリカーボネート樹脂や非晶性オレフィン樹脂を用いることができる。例えば成形時の流動性がアクリル樹脂よりも高いＣＯＰ（シクロオレフィンポリマ）を用いることが成形の際の歩留まりの向上に有効である。このような樹脂は製品名ゼオノアとして日本ゼオンから上市されている。また、ＣＯＰはアクリルよりも吸湿性が低いので本実施例のように厚さの変化が大きい導光板の場合には吸湿によるそりの発生が抑制できるという効果がある。さらに、アクリルより密度が２０％低いため軽量化できるといった特徴がある。
【００４９】
また、導光板１０の光混合領域では導光板１０の表面粗さが大きいと隣接する溝の方向から導光板１０に入射する光が導光板１０を導波する際に散乱し、導光板１０の表面側からその一部が出射すると、照明光の領域毎の輝度の差を十分に高めることができなくなる可能性がある。ここで、一般の光学部品では表面粗さＲａは利用波長の１／１０以下を求められている。本発明の照明装置の利用波長は可視波長（３８０〜７８０ｎｍ程度）なので、表面粗さＲａとしては０ｎｍより大きく３８ｎｍ以下であることが望ましい。ただし、用途によってはこれよりも表面粗さが大きくても許容されるだろう。
【００５０】
導光板１０の裏面には光反射手段６０を配置する。光反射手段６０は導光板の裏面側に漏れ出る光を導光板側へ反射し、戻すことで有効に利用するためのものである。光反射手段６０としては、高い反射率を有する反射面を樹脂板、或いは高分子フィルム等の支持基材上に形成したものを用いることができる。反射面は支持基材上にアルミニウム，銀等の反射率の高い金属薄膜を蒸着法、或いはスパッタリング法等により成膜したもの、或いは支持基材上に増反射膜となるように誘電体多層膜を形成したもの、或いは支持基材上に白色顔料をコートしたもの等を用いることができる。また、屈折率の異なる透明媒体を複数層積層することで光反射手段６０として機能するようにしたものを用いてもよい。より具体的には、光反射手段６０として支持基材フィルム上に拡散反射層を積層形成した反射シート（製品名レフスター、三井化学株式会社製）を用いることができる。
【００５１】
導光板１０の表面側にはその全面を覆うように光路変換手段３０（光路変換部材）を配置する。図８は導光板１０と光路変換手段３０との関係を説明するための概略斜視図である。光路変換手段３０は導光板１０から出射する光の進行方向を揃える機能を有するもので、少なくとも光源群２０〜２３の長手方向と直交する方向において光の進行方向を正面方向へ揃える機能を有するものである。
【００５２】
このような機能を実現する手段としては、特許文献４に記載されている、その両面が平滑面と波形面で構成される透明シートを用いることができる。ここでは図１や図８に例示する通り、光路変換手段３０として導光板１０側の面が平滑面で、もう一方の面が波形面で構成される透明シートを一枚用いる場合を説明する。このような透明シートは３Ｍ社（米国）から製品名ＲＢＥＦ，ＢＥＦIII，ウェーブフィルムといった名称で市販されており、本発明の光路変換手段として好適である。光路変換手段３０の表面には複数のプリズム面が存在する。光路変換手段３０としては波形面を構成するプリズムの平均ピッチが５０〜１００μｍ、プリズムの角度が約９０度である透明シートをそのプリズムの稜線（長手方向）が光源群の長手方向と略一致するように配置する。換言すると、導光板１０の表面側には、プリズムの稜線が導光板の光混合領域と光出射領域との境界線の方向及び／あるいは、導光板の溝１８，１９の長手方向（光源群を構成する複数の光源の配列方向）と略一致するような透明シートを配置する。
【００５３】
尚、光路変換手段３０と導光板１０との間には光路変換手段３０を保持できる透明板、もしくは拡散板４０を備えても良い。また、光路変換手段３０の上部には必要に応じて拡散シート５０を備えても良い。
【００５４】
光路変換手段３０と導光板１０との間に拡散板４０を配置する場合、拡散板４０は導光板１０から出射する光の出射角度分布、及び輝度の面内均一性を均一化する機能を果たす。拡散板４０としてはＰＥＴ（ポリエチレンテレフタレート），ＰＣ（ポリカーボネート）等の透明な高分子フィルムの表面に凹凸を形成したもの、或いは高分子フィルムの表面に透明媒体中に透明媒体とは屈折率の異なる透光性の微粒子を混合した拡散層を形成したもの、或いは板もしくはフィルム内部に気泡を混入して拡散性を持たせたもの、或いはアクリル樹脂等の透明部材中に白色顔料を分散させた乳白色部材等が使用できる。
【００５５】
光路変換手段３０の表面側に配置する拡散シート５０は光路変換手段３０を通過した光の出射角度分布及び輝度の面内均一性を向上するため手段である。また、光路変換手段３０として上記透明シートを用いる場合は非常に傷が付きやすいため、光拡散手段は光路変換手段３０の保護層としても機能する。このような光拡散手段はＰＥＴ，ＰＣ等の透明な高分子フィルムの表面に凹凸を形成したもの、或いは高分子フィルムの表面に透明媒体中に透明媒体とは屈折率の異なる透光性の微粒子を混合した拡散層を形成したもの、或いは板もしくはフィルム内部に気泡を混入して拡散性を持たせたもの、或いはアクリル樹脂等の透明部材中に白色顔料を分散させた乳白色部材等が使用できる。
【００５６】
導光板１０の両端部には光反射手段７０，７１（反射体）を設ける。これは光源群から出射し、導光板１０に入射する光のうち、端部に達した光を再び導光板１０側へ戻す機能を有するものである。このため、光反射手段７０，７１は光を少ない損失で反射するものであれば良いが、散乱反射するものの場合には導光板１０の端部及びその近傍が明るくなり、輝度分布の均一性を損なう可能性があるため、鏡面反射するものであることが望ましい。
【００５７】
光反射手段７０，７１としては例えば、高い反射率を有する反射面を樹脂板、或いは高分子フィルム等の支持基材上に形成したものをその反射面を導光板の端部に向けて透明な接着剤や粘着剤などの媒体を介して貼り付けることで実現すると良い。反射面は支持基材上にアルミニウム，銀等の反射率の高い金属薄膜を蒸着法、或いはスパッタリング法等により成膜したもの、或いは支持基材上に増反射膜となるように誘電体多層膜を形成した、或いは屈折率の異なる透明媒体（透明フィルム）を複数層積層することで反射手段として機能するようにしたものを用いてもよい。
【００５８】
次に本実施例の照明装置の動作を既に説明した図の他に図９も参照しながら説明する。ここではまず、光源群２１及び光源群２２が発光している場合について説明する。図９は本発明の照明装置の一部断面を示す概略構成図及び照明装置の位置に対する輝度の値を示す模式図である。
【００５９】
光源群２１を構成する複数の光源から出射し、導光板１０に入射する光は光混合領域１３において、互いに混ざり合いながら導光板内を導波する。ここで導光板裏面への入射角度θｉと反射角度θｏを導光板表面に対する垂線を基準にして定義すると、光混合領域１３を隣接する溝の方向から進む光に対してはθｉ≦θｏとなり、導光板表面において全反射の条件からずれることはほとんどない。このため、光源群２１からの光は光混合領域１３では導光板１０の表面側からはほとんど出射しないので各光源から出射し、混ざり合いが不十分で均一化されていない光がそのまま導光板１０の表面側から出射することはほとんどない。光混合領域１３を通過した光は光出射領域１４において導光板１０の裏面に設けた傾斜した微小面でその一部が反射する。このとき入射角度θｉと反射角度θｏの関係は、θｉ＞θｏとなり、さらに導光板１０の表面に対して全反射の条件からずれた角度、つまり臨界角以下の角度で入射した光は導光板の表面から出射する。
【００６０】
また、光出射領域１４を通過する光は光混合領域１５において、傾斜した微小面で反射すると、入射角度θｉと反射角度θｏの関係がθｉ＞θｏとなり、さらに導光板１０の表面に対して全反射の条件からずれた角度、つまり臨界角以下の角度で入射した光は導光板１０の表面から出射する。
【００６１】
このように光源群２１から出射し、導光板１０に入射した光はその大部分が光出射領域１４及び光混合領域１５から出射し、その大部分の光は光源群２１から遠ざかる方向に傾いた方向（図中では右に傾いた方向）に出射する。
【００６２】
導光板１０から出射する光は光路変換手段３０に入射するが、その際、その進行方向が変わり、導光板表面に対しほぼ垂直な方向に揃えられる。
【００６３】
一方、光源群２２を構成する複数の光源から出射し、導光板１０に入射する光は光混合領域１５において、互いに混ざり合いながら導光板内を導波する。この際、光源群２２からの光は光混合領域１５では導光板の表面側にほとんどで出射しないため混り合っていない光が大量に出射することはない。光混合領域１５を通過した光は光出射領域１４において導光板１０の表面と導光板１０の裏面に設けた微小面で反射しながら導光板内を進むが、この際、導光板１０の裏面の傾斜した微小面で反射した光のうち、導光板１０の表面に全反射の条件からずれた角度、つまり臨界角以下の角度で入射する光は導光板の表面から出射する。
【００６４】
また、光出射領域１４を通過する光は光混合領域１３において、傾斜した微小面で反射して導光板の表面から出射する。このように光源群２２から出射し、導光板１０に入射した光はその大部分が光出射領域１４及び光混合領域１３から出射するが、その際、大部分の光は光源群２２から遠ざかる方向に傾いた方向（図中では左に傾いた方向）に出射する。
【００６５】
導光板１０から出射する光は光路変換手段３０に入射し、その際その進行方向が変わり、導光板表面に対し垂直な方向に揃えられる。
【００６６】
つまり、光源群２１と光源群２２から出射し、導光板１０に入射する光は導光板１０の表面側から出射する際、それぞれ光の主たる進行方向が異なることになる。このため光の進行方向を揃えなければ斜め方向から観察した際に位置により明るさが異なるという問題が発生する。本発明ではこの課題を解決するため、進行方向が異なる光を導光板表面に対してほぼ垂直な方向に揃える手段として光路変換手段３０を備える。
【００６７】
また、光路変換手段３０として上記部材を用いた場合は正面（出射角度０度）の輝度を光路変換手段３０を用いない場合の約１.３倍に向上できる。つまり、本発明の照明装置では光路変換手段３０を用いることで斜め方向から観察した際の輝度むらの防止、及び正面方向の輝度を向上することができるという効果がある。
【００６８】
尚、光路変換手段３０としては導光板側の面が波形面であり、もう一方の面が平滑面で構成される透明シートを用いても良い。この場合は、導光板１０の位置に応じて、導光板１０から出射する光の主たる進行方向が異なるので、それに合わせて波形面を構成するプリズムの頂角を位置により変えれば良い。
【００６９】
このように本発明の照明装置では光混合領域において、近接する光源群を構成する複数の光源から出射して導光板に入射する光が互い混ざり合う間は導光板の表面側から出射する光の量が少なく、十分に混ざり合い均一化された後、導光板から出射することになるためより均一な照明光が得られる。
【００７０】
次に、本発明の照明装置に係る光出射領域の効果について説明する。図１０は光混合領域（図中１３′と１５′）の隣に光出射領域を設けない場合を想定した照明装置の一部断面を示す概略構成図及び照明装置の位置に対する輝度の値を示す模式図である。
【００７１】
上述の通り、光源群２１と光源群２２から出射して導光板１０に入射する光が導光板１０の表面側から出射する際、それぞれ光の主たる進行方向は異なる。つまり、光源群２１からの光は導光板１０から出射する際、その主たる進行方向が光源群２１から遠ざかる方向に傾いた方向（図中では右に傾いた方向）であり、光源群２２からの光は導光板１０から出射する際、その主たる進行方向は光源群２２から遠ざかる方向に傾いた方向（図中では左に傾いた方向）となる。光路変換手段３０により導光板１０から出射する光の進行方向は揃えられるが、光混合領域１３′において導光板１０の表面から出射する光と光混合領域１５′において導光板１０の表面から出射する光の主たる進行方向は互いに遠ざかる方向であるため、導光板１０の溝から離れた部分では光量が不足して輝度が低下するという課題を生じる。
【００７２】
さらに、光出射領域を設けない場合は光混合領域が大きくなるため、これを原因とする下記の２つの課題が生じやすくなる。光混合領域は上記のように、巨視的には隣接する溝（もしくは近接する光源群）から遠ざかるにつれて厚さが増すテーパ形状をなす。このため、光混合領域の長さが大きくなると、その分だけ導光板の厚さは増えるため、照明装置の厚さが大きくなるという問題を生じる。さらに導光板の厚さが大きい部分では光源群から出射し、導光板に入射する光が導光板の裏面に到達する確率が低くなるため、その部分の光量が不足し、輝度が低下するという課題を生じる。
【００７３】
これらの課題に対して鋭意検討した結果、導光板に光混合領域と光出射領域という機能が異なる領域を設けることで課題が解決することを見出した。つまり、上記（図９参照）のように、導光板１０に光出射領域１４を設けることで、光出射領域１４がない場合（図１０）に比べてより均一な輝度分布を得ることができる。
【００７４】
さらに、導光板１０の厚さは光出射領域１４を設けない場合より、設けた場合の方が薄くできる。このため、本発明の照明装置では光出射領域１４を設けることで同じ厚さであれば輝度の面内分布がより均一な照明装置が実現でき、さらにより薄い照明装置が実現できるという効果がある。
【００７５】
次に、導光板の端部近傍の領域における動作について図５を参照しながら説明する。光源群２０を構成する複数の光源から出射し、導光板１０に入射する光は光混合領域１２において、互いに混ざり合いながら導光板内を導波する。この際、導光板裏面への入射角度θｉと反射角度θｏの関係は、光混合領域１３を隣接する溝の方向から進む光に対してはθｉ≦θｏとなり、導光板表面において全反射の条件からずれることはほとんどない。このため、光源群２１からの光は光混合領域１３では導光板１０の表面側からはほとんど出射しないので各光源から出射し、混ざり合いが不十分で均一化されていない光がそのまま導光板の表面側から出射することはほとんどない。
【００７６】
光混合領域１２を通過した光は光出射領域１１において導光板１０の裏面に設けた傾斜した微小面でその一部が反射する。この際、導光板裏面への入射角度θｉと反射角度θｏの関係は、θｉ＞θｏとなり、さらに導光板１０の表面に対して全反射の条件からずれた角度、つまり臨界角以下の角度で入射した光は導光板の表面から出射する。
【００７７】
一方、光出射領域１１を通過した光は、光反射手段７１で反射して再び光出射領域１１に入る。光出射領域１１では、導光板１０の裏面に設けた傾斜した微小面で反射する光の、入射角度θｉと反射角度θｏの関係は、θｉ＞θｏとなり、さらに導光板１０の表面に対して全反射の条件からずれた角度、つまり臨界角以下の角度で入射した光は導光板１０の表面から出射する。
【００７８】
光出射領域１１を通過した光は光混合領域１２に再び入射する。この際、傾斜した微小面で反射する光の入射角度θｉと反射角度θｏの関係は、θｉ＞θｏとなり、さらに導光板表面に対して全反射の条件からずれた角度、つまり臨界角以下の角度で入射した光は導光板１０の表面から出射する。
【００７９】
このように光源群２０から出射して導光板１０に入射した光は、光混合領域１２において、隣接する溝１８の方向から進む光については導光板１０の表面側からほとんど出射しないが、隣接する溝１８とは反対側から進む光は導光板１０の表面側から出射する。
【００８０】
光出射領域１１では、溝１８の方向から進む光と、これとは逆方向に進む光は導光板１０の表面側から出射する際の傾き角度が異なることになる。特に光出射領域１１において溝１８の方向から進む光が導光板１０の表面側から出射する光の主たる進行方向と、光混合領域１２において導光板１０の表面側から出射する光の主たる進行方向は異なることになる。このため、光の進行方向を揃えなければ斜め方向から観察した際に位置により明るさが異なるという問題が発生する。本発明ではこの課題を解決するために光路変換手段３０を備える。
【００８１】
光路変換手段３０は上記のように進行方向が異なる光を導光板表面に対してほぼ垂直な方向に揃える手段であり、斜め方向から観察した際の位置による明るさが違いを抑制できる。
【００８２】
このように導光板１０の端部近傍の領域では光混合領域１２において、近接する光源群を構成する複数の光源から出射して導光板１０に入射する光が互い混ざり合う間は導光板１０の表面側から出射する光の量が少なく、十分に混ざり合い均一化された後、導光板１０から出射することになるため輝度の均一性が高い照明光を得ることができる。
【００８３】
このように本発明の照明装置では、導光板１０の端部に光源を配置する必要が無いため額縁が小さい照明装置を実現できるという効果がある。
【００８４】
次に、導光板の溝の断面形状について説明する。図１１は導光板の溝と光源群の概略断面図である。導光板１０の溝１８は本照明装置の照射対象物の主平面、つまり、本実施例では導光板の表側の面（表面）に対して垂直な角度となる面１８ａ（第一の面），１８ｄ（第四の面）と頂角γをなす２つの面１８ｂ（第二の面），１８ｃ（第三の面）から構成される。溝１８を構成する面として、面１８ａ−１８ｄ以外の面が含まれていても良い。垂直について、数学的に厳密な意味を要求するものではない。照射対象物の主平面は導光板における平板状の面と略平行になる。頂角γをなす２つの面を備える理由は、光源群を構成する各光源から出射する光のうち、導光板１０の表面方向へ向かう光（図中点線で例示）が導光板１０の表面から直接出射することで、光源を配置した近傍が明るくなり輝度の均一性が損なわれるのを抑えるためである。
【００８５】
頂角γは光源から出射する光の角度分布を考慮して適切な設計をすれば良い。但し、頂角γを小さくすると導光板の厚さを大きくする必要が生じるため、頂角γは４０〜９０度の範囲から選ぶことが望ましい。
【００８６】
尚、本実施例では光源群を構成する光源としては、出射する光の量が照明装置の照射対象物の主平面、つまり、導光板の表側の面の主平面に対して平行な方向が最大となるものを用いると良い。平行について、数学的に厳密な意味を要求するものではない。この場合、光源から出射する光は、導光板の溝の面のうち導光板の表側の面（表面）に対して垂直な角度となる面１８ａ，１８ｄに対し、より多くの光が垂直入射する。導光板１０と空気との界面での反射は光が垂直入射する場合に小さくなる。このため、このような光源を用いると導光板１０に入射する際の光の損失を小さくできる。また、このような光源を用いると光源から直接導光板の表面側に向かう光が少なくなるので、光源を配置した近傍が明るくなり輝度の均一性が損なわれるのを抑えることができる。
【００８７】
図１２は本発明の照明装置の概略平面図である。本発明の照明装置は複数に分割した単位領域毎に独立して明るさを制御するものである。例えば図１２に例示するように縦方向を４つ（Ａ１〜Ａ４）、横方向を５つ（Ｂ１〜Ｂ５）に分割した領域を想定すると、光源群を構成する各光源のうち、発光する光源を適正に選択することで、各単位領域毎に独立して照明光の明るさを制御することができる。例えば、領域Ａ３−Ｂ１のみを点灯する場合、図６及び図７に例示するように、Ａ３の領域は光源群２１が担当するため、光源群２１を構成する光源のうち横方向の領域Ｂ１に相当する位置の光源のみを点灯させると、該当する各光源から出射した光は導光板１０に入射して、光混合領域１３を導波する。この際、上記のように導光板１０の表面側から光が出ることはほとんどなく、各光源から出射した光は混じり合い、均一性を高めながら進む。光混合領域１３を通過した光は光出射領域１４においてその一部が導光板１０の表面側から出射する。この際、導光板１０から出射する光は、主たる光の進行方向が光源群２１から遠ざかる方向に傾いた方向（図中では右に傾いた方向）であるため、光路変換手段３０を介し、正面方向に向かう光を正面から観察した際には、光出射領域１４のほぼ中央から光源群２１とは反対側の領域で明るくなるように光出射領域１４の長さＬｏやその裏面の形状を導光板の厚さも考慮して設計をすれば良い。光出射領域１４を通過した光はその大部分が光混合領域１５において導光板の表面側から出射する。
【００８８】
尚、光源群の長手方向において導光板を光学的に複数の領域に分離するため、上記のように光源群の長手方向と直交する方向に伸びる微細な溝１０ｇを必要に応じて導光板１０に設けても良い。この場合、光源群の長手方向において、各光源が担当する単位領域と異なる領域へ光が広がることを抑制できる。
【００８９】
このように照明装置の単位領域Ａ３−Ｂ１を明るくしたい場合は、この領域を担当する光源、すなわち光源群２１を構成する光源のうち領域Ｂ１に対応する光源を点灯させれば良い。
【００９０】
つまり、本発明の照明装置では単位領域毎に担当する光源が決まっており、担当する光源の発光動作を制御することで、単位領域毎に明るさを制御することができる。
【００９１】
尚、本発明の照明装置を別の観点から表現すると以下の通りとなる。つまり、光源群を収納する溝を備えた導光板を有する照明装置であって、該導光板は、溝に隣接する位置に光混合領域を備え、導光板内を隣接する溝の方向から進む光が導光板の表面から単位面積あたり出射する光の量をＬ０１、隣接する溝とは逆の方向から進む光が導光板の表面から単位面積当たり出射する光の量をＬ０２とすると、該光混合領域ではＬ０１＜Ｌ０２の関係を満たす。つまり、図６に例示するように光源群２１から出射する光が光源群２１に隣接する光混合領域１３において導光板の表面側から出射する光の量Ｌ０１は、光源群２１から離れた位置の光混合領域１５において導光板の表面側から出射する光の量Ｌ０２よりも少なくなる。
【００９２】
この際、照明装置の単位領域毎の明るさの制御性を高め、表示装置の画質を高めるにはＬ０１とＬ０２の差は大きいほうが良く、Ｌ０２がＬ０１の５倍以上であることが望ましい。特に画面のコントラスト比として数万対１以上が望まれる高画質の表示装置では、表示パネルのコントラストが数千であることを考慮すると、照明装置としてはＬ０２がＬ０１の１０倍以上であることが望ましい。
【００９３】
次に、導光板の溝の断面形状の変形例について説明する。図１３は導光板の溝の概略断面図である。本実施例は図１１を参照して説明した上記実施例において、溝を構成する面の角度を変えたものである。このため、上記実施例と同じ部分については同じ符号をつけ、変形部分以外の説明は省略する。
【００９４】
本実施例では導光板の溝１８は導光板１０の表側の面（表面）の垂線に対して、角度δ傾斜した面１８ａ，１８ｄと頂角γをなす２つの面１８ｂ，１８ｃから構成される。頂角γをなす２つの面を備える理由は、光源群２０，２１を構成する各光源から出射する光のうち、導光板１０の表面方向へ向かう光（図中点線で例示）が導光板１０の表面から直接出射することで、光源を配置した近傍が明るくなり輝度の均一性が損なわれるのを抑えるためである。頂角γは上記実施例と同様、光源から出射する光の角度分布を考慮して適切な設計をすれば良い。但し、頂角γを小さくすると導光板の厚さを大きくする必要が生じるため、頂角γは４０〜９０度の範囲から選ぶことが望ましい。
【００９５】
本実施例の特徴は面１８ａと面１８ｄが導光板１０の表側の面（表面）の垂線に対して、角度δ傾斜していることにある。この際、面１８ａと面１８ｄの傾斜の方向は、それぞれ溝１８の下部（照射対象と反対側）よりも溝１８の上部が溝１８の中心線から離れる方向とする。
【００９６】
つまり、光源群２０，２１を収納する導光板１０の溝１８は、導光板１０の表側の面に向ってその間隔が広くなる一対の面１８ａと面１８ｄと、導光板１０の表側の面に向ってその間隔が狭くなる一対の面１８ｂと面１８ｃから構成する。換言すると、面１８ａおよび面１８ｄの距離は、導光板１０の表面に向かって大きくなり、面１８ｂおよび面１８ｃの距離は、導光板１０の表面に向かって小さくなる。
【００９７】
ここで、光源としてＬＥＤを用いる場合、特別な工夫をしなければ光源から出射する光は、導光板１０の表面と平行な方向に出射する光の量が多い。このため、溝１８を構成する面１８ａと面１８ｄが導光板１０の表側の面（表面）の垂線に対して平行な面であると、光源群２０，２１から出射し、隣接する溝から導光板１０へ入射する光の一部は光が入射した溝と対向する位置にある溝に直接到達する。対向する位置にある溝に到達する光の量は特に溝と溝の間隔が小さい場合には光損失などの課題の原因となる可能性がある。
【００９８】
これに対し、本実施例では、例えば光源群２１から出射する光のうち、導光板１０の表面と平行な方向に出射する光が面１８ｄから導光板１０に入射すると、その光は導光板１０の下部の方向へ屈折する。このため、溝１８の面１８ｄから入射する光が、対向する溝１９に直接、至ることが少なくなり、光の利用効率が向上するという効果が得られる。
【００９９】
なお、溝１８を構成する面の傾斜角度δは、導光板の溝と溝の間隔や導光板の厚さ、光源から出射する光の配光特性を考慮して適切な値を設定すればよい。ただし、傾斜角度δが大きくなりすぎると、入射面での不要反射が大きくなること、および、溝の幅が大きくなり明るさの不均一性などの不具合を生じる可能性があるため、傾斜角度δは３０度以下、より望ましくは１５度以下とすることが現実的である。つまり、溝を構成する面を傾斜させる場合は、その傾斜角度δを、０度＜δ＜１５度の範囲から設定することが現実的である。
【０１００】
次に、光源群の変形例について説明する。図１４は光源群および導光板の溝付近の概略断面図である。本実施例は図１１等を参照して説明した上記実施例において、光源群を構成する光源の取り付け角度を変えたものである。このため、上記実施例と同じ部分については同じ符号をつけ、変形部分以外の説明は省略する。
【０１０１】
本実施例では光源群を構成する光源は導光板の表側の面（表面）の垂線に対して、角度η傾いた状態で固定される。光源群２０，２１の傾き角度ηの方向は、それぞれ光源の下部（照射対象と反対側）よりも光源の上部が溝の中心線から離れる方向とする。
【０１０２】
この場合、光源群２０，２１から出射する光は導光板１０の表面と平行な方向に対して、導光板１０の裏面側に傾いた方向に出射する光の量が多くなる。つまり、光源群２０，２１からの出射光量が、導光板１０における平板状の面に対して平行な方向から導光板１０の裏面側に傾いた方向において最大となる。このため、例えば光源群２１から出射して、導光板に入射する光の主たる方向（光の量が多くなる方向）は、導光板１０の表面と平行な方向に対して導光板１０の裏面側に傾いた方向となる。この場合、溝１８の面１８ｄから入射する光が、対向する溝１９に直接、至ることが少なくなり、光の利用効率が向上するという効果が得られる。
【０１０３】
なお、光源群２０，２１を構成する光源の取り付け角度ηは、光源の大きさや配向特性、および導光板の溝と溝の間隔や導光板の厚さ等を考慮して適切な値を設定すればよい。ただし、角度ηが大きくなりすぎると、入射面での不要反射が大きくなること、および、光源群の占める容積が大きくなり、収納に不具合を生じる可能性があるため、角度ηは３０度以下、より望ましくは１５度以下とすることが現実的である。つまり、光源群２０，２１を構成する光源の取り付け角度ηは、０度≦η＜１５度の範囲から設定することが現実的である。
【０１０４】
尚、本実施例の本質は、光源群から出射する光の主たる方向が導光板の表面と平行な方向に対し、導光板の裏面側に傾いた方向とすることにある。このため、本実施例のように光源の取り付け角度を傾斜させる代わりに光源を構成するレンズや反射板の構造を工夫しても良い。いずれの場合も、入射面での不要反射を抑制することを考慮すると光源群から出射する光の主たる方向は導光板の表面と平行な方向に対し、０度から１５度、導光板の裏面側に傾いた方向にすることが望ましい。
【０１０５】
次に、光源群、及び導光板の溝の変形例について説明する。図１５は光源群および導光板の溝付近の概略断面図である。本実施例は図１３と図１４を参照して説明した上記実施例を組み合わせたものである。つまり、溝を構成する面を傾け、さらに光源群を構成する光源の取り付け角度を変えたものである。このため、上記実施例と同じ部分については同じ符号をつけ、変形部分以外の説明は省略する。
【０１０６】
本実施例では、溝１８を構成する面１８ａと面１８ｄが導光板１０の表側の面（表面）の垂線に対して、角度δ傾斜しており、さらに光源群２０，２１を構成する光源は導光板の表側の面（表面）の垂線に対して、角度η傾いた状態で固定する。この場合も上記実施例と同様、例えば光源群２１から出射して、導光板に入射する光の主たる方向（光の量が多くなる方向）は、導光板の表面と平行な方向に対して導光板の裏面側に傾いた方向となる。このため、溝１８の面１８ｄから入射する光が、対向する溝１９に直接、至ることが少なくなり、光の利用効率が向上するという効果が得られる。
【０１０７】
本実施例では特に溝を構成する面の傾斜角度δと光源の取り付け角度ηの値を近くする、より望ましくは等しくすることで、光源から出射し、導光板に入射する光の入射面における界面反射が小さくなり光の損失を抑制して明るい照明装置を実現できるという効果がある。
【０１０８】
また、溝１８を構成する面１８ａと面１８ｄが傾斜していることで、溝内部の空間が大きくなり、そこに収納する光源群２０，２１の形状の自由度が高まる。例えば光源群２０，２１を構成するヒートシンク２５として、導光板の下部（裏面）側よりも上部（表面）側の幅が大きいヒートシンク２５を採用すればヒートシンク２５の容量が増えて放熱性を高められるといった効果も得られる。
【０１０９】
なお、溝１８を構成する面１８ａ，１８ｄの傾斜角度γや光源群２０，２１を構成する光源の取り付け角度ηは、光源の大きさや配向特性、および導光板の溝と溝の間隔や導光板の厚さ等を考慮して適切な値を設定すればよい。ただし、角度δや角度ηが大きくなりすぎると、光源群や溝の占める容積が大きくなり、照明光の均一性に不具合を生じる可能性があるため、角度δと角度ηは３０度以下、より望ましくは１５度以下とすることが現実的である。つまり、角度δと角度ηは、０度≦δ、η＜１５度の範囲から設定することが現実的である。
【０１１０】
尚、本実施例においても、光源の取り付け角度の本質は、光源群から出射する光の主たる方向が導光板の表面と平行な方向に対し、導光板の裏面側に傾いた方向とすることにある。このため、本実施例のように光源の取り付け角度を傾斜させる代わりに光源を構成するレンズや反射板の構造を工夫しても良い。いずれの場合も、入射面での不要反射を抑制することを考慮すると光源群から出射する光の主たる方向は導光板の表面と平行な方向に対し、０度から１５度、導光板の裏面側に傾いた方向にすることが望ましい。
【０１１１】
次に、導光板の変形例について説明する。図１６は導光板の概略斜視図である。本実施例は導光板を溝の部分で複数のパーツ（１０ａ，１０ｂ，１０ｃ）に分離したものであり、基本的な構造や機能は上記実施例で記載した導光板と同じである。このため、上記実施例と同じ部分については同じ符号をつけ、変形部分以外の説明は省略する。
【０１１２】
上記実施例では導光板は複数の溝を備える一体ものとしていたが、例えば図１３や図１５を参照して説明した導光板の場合、溝の幅が導光板の下部よりも中央付近のほうが広い。このような形状の場合、通常の射出成型では製造が容易ではない。また、溝部分は導光板の厚さが薄いため機械的強度が弱いため、この部分から変形、あるいは、破損をしやすい。
【０１１３】
このため本実施例のように導光板を溝の部分で分離したような複数のパーツから構成し、組み立てるようにすることで、成型を容易にし、変形や破損を抑制することができる。
【０１１４】
尚、導光板の各パーツを組み合わせた際の接触部分は接着剤や粘着剤で固定してもよいし、シリコーンゴムなどの弾性を有する透明体で固定しても良い。
【０１１５】
上記のように、本発明によれば、複数の単位領域毎に輝度の制御ができる照明装置において、離散的に配置した複数の光源による輝度むらを抑制できる。また、導光板は少なくとも溝と溝の間は一体型のものが利用できるためその数を少なくでき、理想的には１つにすることが可能である。さらに各領域に対応して構成する光源群はひとつの溝に２つの光源群を収納する構造となっている。このため、ひとつのヒートシンクを２つの光源群に対応させることで、２つの光源群を一体化すことができる。つまり、複数の単位領域毎に輝度の制御ができる照明装置を導光板や光源群などの部品点数が少ない状態で実現できる。
【０１１６】
（表示装置の実施の形態）
次に本発明の照明装置を用いた表示装置について説明する。図１７は本発明の表示装置の概略断面図である。本表示装置は画像情報に基づき光の透過光量を制御することで画像を表示する表示パネル２と、これを背面から照明する照明装置１とから構成される。
【０１１７】
表示パネルとしては入射する光の透過光量を調節することで画像を表示する表示パネルを用いることができ、特に長寿命でマトリクス表示が可能な液晶表示パネルを用いることができる。
【０１１８】
表示パネル２は照明装置１と組合せ、照明装置１からの光の透過光量を調整することで映像を表示する透過型、或いは半透過反射型の液晶表示パネルを用いることができる。尚、液晶表示パネルにはパッシブ駆動方式やアクティブ駆動方式があるが、詳細な構成や動作については周知であるのでここではその説明は省略する。
【０１１９】
液晶表示パネルは偏光板を備え、液晶層に入射する光の偏光状態を制御することで映像表示を行うものが比較的低い駆動電圧でコントラスト比の高い映像が得られることから望ましい。また、液晶表示パネルとしては例えばＴＮ（Twisted Nematic）方式，ＳＴＮ（Super Twisted Nematic）方式，ＥＣＢ（Electrical Controlled Birefringence）方式などを用いることができる。また、広視野角を特徴とするＩＰＳ（In Plane Switching）方式，ＶＡ（Vertical Alingned）方式を用いることができる。
【０１２０】
あるいは液晶表示パネルとしては上記方式を応用した半透過反射型を用いることができる。
【０１２１】
ここでは以下、液晶表示パネルとしてアクティブマトリクス方式を用いる場合の概要を説明するが、本発明はこれに限定されるものではない。
【０１２２】
表示パネル２は、平坦かつ透明で光学的に等方なガラス、あるいはプラスチックからなる第１の透明基板２００および第２の透明基板２１０と、を有する。
【０１２３】
第１の透明基板２００には、カラーフィルタや、ポリイミド系高分子からなる配向膜（いずれも不図示）が積層されている。第２の透明基板２１０には、マトリクス状に配置した複数の画素を形成する電極，信号電極，走査電極、薄膜トランジスタ等からなるスイッチング素子，配向膜等（いずれも不図示）が形成されている。
【０１２４】
２枚の透明基板２００，２１０は配向膜形成面を向かい合わせ、図示しないスペーサ−により一定の間隙を設けた状態で枠状のシール材３２０で周囲を接着して内部に空間を形成する。この空間に液晶を封入し、封止することで液晶層１００が設けられる。
【０１２５】
液晶層１００は２枚の透明基板２００，２１０上に形成された配向膜に施される配向処理により、その液晶分子長軸の配向方向が規定される。
【０１２６】
第１の透明基板２００の観察者側の面（表面）と第２の透明基板２１０の観察者側とは反対側の面（裏面）にはそれぞれ第１の光学フィルム３００と第２の光学フィルム３１０を備える。
【０１２７】
第１の光学フィルム３００と第２の光学フィルム３１０はそれぞれ少なくとも一つの偏光層を含むものであり、適用する液晶表示モードに応じて適切な位相差層を含んでもよい。偏光層はこれに入射する光のうち互いに直交する直線偏光成分の一方を透過し、他方を吸収するものである。偏光層としては例えば、ヨウ素や有機染料などの２色性の材料を染色あるいは吸着させたポリビニルアルコールなどからなる基材フィルムを延伸し、２色性の材料を配向させることで吸収２色性を発現したものを用い、その両側をトリアセチルセルロースフィルムなどからなる２枚の透明保護フィルムで挟んだ構造のものを用いることができる。
【０１２８】
尚、第２の光学フィルム３１０を構成するフィルムとしては偏光層で吸収される直線偏光成分は反射し、これ以外の光は透過する反射型の偏光フィルムを含んでも良い。この場合、偏光層で吸収される光の量が減り、より明るい画像が得られるようになる。
【０１２９】
第１の光学フィルム３００と第２の光学フィルム３１０はそれぞれ図示しない粘着層を介して、第１の透明基板２００と第２の透明基板２１０に固定される。
【０１３０】
第２の透明基板２１０と第１の透明基板２００が重なる領域内に照明装置１からの光の透過量を変調することで２次元画像を形成する表示領域を有する。また、第１の光学フィルム３００と第２の光学フィルム３１０は共に表示領域以上の面積を有し、表示領域を全て覆うように配置する。
【０１３１】
照明装置１としては上述の照明装置を用いる。表示パネル２は表示面のアスペクト比（縦横比）が３：４，４：５、または９：１６の横長の表示面が一般的であり、通常は表示面の長手方向が水平方向と一致するように設置する。この際、照明装置１を構成する光源群２０，２１，２２、及び２３は光源群を構成する複数の光源の配列方向、つまり、光源群の長手方向が表示パネル２の表示面の長手方向、つまり水平方向と実質的に一致するように構成し、これに従い光路変換手段３０の波形面を構成するプリズムの稜線の長手方向も表示パネル２の表示面の水平方向と実質的に一致するよう構成することが望ましい。
【０１３２】
上記構成により、照明装置１から出射する光は、表示面の垂直方向には絞られた光となる。つまり、表示面の垂直方向は水平方向よりも輝度の視野角が狭くなる。このことは一般に表示装置では垂直方向よりも水平方向により広い視野角が求められており、限られた光を観察者へ効率よく配分する上で有効である。
【０１３３】
図１８は、本発明の表示装置の信号処理系を含む概略構成図である。照明装置１と表示パネル２にはそれぞれバックライト制御手段７００と画像補正手段６００が接続される。また、バックライト制御手段７００と画像補正手段６００は輝度分布算出手段５００に接続され、輝度分布算出手段５００は画像信号処理手段４００に接続される。
【０１３４】
画像信号が画像信号処理手段４００に入力されると、画像表示や領域制御のためのタイミング信号の生成処理が行われる。次に、輝度分布算出手段５００において、入力されたオリジナル画像信号の最大値・最小値などの解析が、各単位領域に対応して行われ、この解析結果により、照明装置の各領域の明るさ（バックライト輝度レベル）が決定される。
【０１３５】
次に、画像補正手段６００は、単位領域毎のバックライト輝度レベルに応じて画像信号の補正を行い、この補正された信号を元に表示パネル２を駆動する。また、同時に、バックライト制御手段７００は、照明装置の各領域がバックライト輝度レベルに対応した明るさになるよう制御する。
【０１３６】
このように表示する画像に対応して、照明装置（バックライト）の明るさを領域ごとに制御することで、消費電力を低減すると同時に、コントラスト比が高く高品位な画像を表示する表示装置を実現できる。特に、本発明の表示装置の照明装置は、離散的に配置した複数の光源による輝度むらが抑制され、狭額縁、かつ薄型で、さらに領域毎に明るさの制御ができるものである。このため、画面の均一性が高く、狭額縁、かつ薄型で高品位な画像表示が得られる表示装置を少ない部品点数で実現できる。
【符号の説明】
【０１３７】
１  照明装置
２  表示パネル
１０  導光板
１１，１４，１７  光出射領域
１２，１３，１５，１６  光混合領域
１８，１９  溝
２０，２１，２２，２３  光源群
２５  ヒートシンク
３０  光路変換手段
４０  拡散板
５０  拡散シート
６０，７０，７１  光反射手段
１００  液晶層
２００  第１の透明基板
２１０  第２の透明基板
３００  第１の光学フィルム
３１０  第２の光学フィルム
３２０  シール材
４００  画像信号処理手段
５００  輝度分布算出手段
６００  画像補正手段
７００  バックライト制御手段
【図１】
2012018855.tif 000003
【図２】
2012018855.tif 000004
【図３】
2012018855.tif 000005
【図４】
2012018855.tif 000006
【図５】
2012018855.tif 000007
【図６】
2012018855.tif 000008
【図７】
2012018855.tif 000009
【図８】
2012018855.tif 000010
【図９】
2012018855.tif 000011
【図１０】
2012018855.tif 000012
【図１１】
2012018855.tif 000013
【図１２】
2012018855.tif 000014
【図１３】
2012018855.tif 000015
【図１４】
2012018855.tif 000016
【図１５】
2012018855.tif 000017
【図１６】
2012018855.tif 000018
【図１７】
2012018855.tif 000019
【図１８】
2012018855.tif 000020